(57)【要約】【課題】  ユーザー利便性を向上させつつ、記録装置に誤ったインクが補充されることを防止する。【解決手段】  本発明に係る記録装置は、インクを吐出して画像を記録する記録ヘッドと、記録ヘッドへ供給されるインクを収容し、インクボトルからインクを補充するためのインク補充口を有するインクタンクと、インク補充口を覆った閉状態とインク補充口を露出した開状態とに移動可能なカバー部材と、を備える記録装置であって、カバー部材が閉状態から開状態に移動することができない第１の状態と、カバー部材が閉状態から開状態に移動することができる第２の状態とに切り替え可能なロック機構と、インクボトルに設けられた記憶手段に記憶された当該インクボトルの識別情報を読み取る読取手段と、読取手段により読み取られた識別情報に応じて、ロック機構を第１の状態から第２の状態に切り替える制御手段と、を備える。【選択図】  図６
2019098526.tif 000002
【特許請求の範囲】
【請求項１】
インクを吐出して画像を記録する記録ヘッドと、
前記記録ヘッドへ供給されるインクを収容し、インクボトルからインクを補充するためのインク補充口を有するインクタンクと、
前記インク補充口を覆った閉状態と前記インク補充口を露出した開状態とに移動可能なカバー部材と、を備える記録装置であって、
前記カバー部材が前記閉状態から前記開状態に移動することができない第１の状態と、前記カバー部材が前記閉状態から前記開状態に移動することができる第２の状態とに切り替え可能なロック機構と、
前記インクボトルに設けられた記憶手段に記憶された当該インクボトルの識別情報を読み取る読取手段と、
前記読取手段により読み取られた前記識別情報に応じて、前記ロック機構を前記第１の状態から前記第２の状態に切り替える制御手段と、を備えることを特徴とする記録装置。
【請求項２】
前記読取手段は、前記インクボトルの記憶手段と近距離無線による通信を行うことを特徴とする請求項１に記載の記録装置。
【請求項３】
第１のインクを収容する第１のインクタンクと、第２のインクを収容する第２のインクタンクとを備え、
前記カバー部材と前記ロック機構は、前記第１のインクタンクと前記第２のインクタンクに対応してそれぞれ設けられ、
前記制御手段は、前記読取手段により読み取られた前記識別情報が前記第１のインクに対応するものであった場合、前記第１のインクタンクに対応する前記ロック機構を前記第１の状態から前記第２の状態に切り替える、
ことを特徴とする請求項１または２に記載の記録装置。
【請求項４】
前記カバー部材が前記開状態であるか前記閉状態であるかを判別する判別手段を備えることを特徴とする請求項１ないし３のいずれか１項に記載の記録装置。
【請求項５】
前記制御手段は、前記第１のインクタンクに対応するカバー部材が前記開状態である場合には、前記第２のインクタンクに対応するカバー部材を前記閉状態に保持する、
ことを特徴とする請求項４に記載の記録装置。
【請求項６】
前記読取手段が第１のインクボトルの識別情報を読み取り、前記制御手段が前記ロック機構を前記第１の状態から前記第２の状態に切り替えた後、前記読取手段が前記第１のインクボトルと異なる第２のインクボトルの識別情報を読み取った場合、前記制御手段は、前記カバー部材が前記閉状態である場合は、前記ロック機構を前記第２の状態から前記第１の状態に切り替える、ことを特徴とする請求項４または５のいずれか１項に記載の記録装置。
【請求項７】
前記読取手段が第１のインクボトルの識別情報を読み取り、前記制御手段が前記ロック機構を前記第１の状態から前記第２の状態に切り替えた後、前記読取手段が前記第１のインクボトルと異なる第２のインクボトルの識別情報を読み取った場合、前記制御手段は、前記カバー部材が前記開状態である場合は、ユーザーに対して警告を行う、ことを特徴とする請求項４ないし６のいずれか１項に記載の記録装置。
【請求項８】
前記制御手段は、前記カバー部材が前記開状態であるときに、装置本体の電源をオフにする操作が行われた場合には、装置本体の電源をオフにすることなく、ユーザーに対して警告を行う、ことを特徴とする請求項４ないし７のいずれか１項に記載の記録装置。
【請求項９】
前記制御手段は、前記ロック機構を前記第１の状態から前記第２の状態に切り替えてから所定時間が経過しても前記カバー部材が前記開状態でない場合には、前記ロック機構を前記第２の状態から前記第１の状態に切り替える、ことを特徴とする請求項４ないし８のいずれか１項に記載の記録装置。
【請求項１０】
前記識別情報は、前記インクボトルに収容されるインクの色に関する情報を含むことを特徴とする請求項１ないし９のいずれか１項に記載の記録装置。
【請求項１１】
前記識別情報は、前記記録装置に適応するインクボトルであるかを判別するための情報を含むことを特徴とする請求項１ないし１０のいずれか１項に記載の記録装置。
【請求項１２】
前記読取手段が前記インクボトルの前記識別情報を読み取った際、前記インクボトルの前記記憶手段に日時に関する情報を書き込む書込手段を備え、
前記制御手段は、前記読取手段が前記インクボトルの前記識別情報を再び読み取った際、前記日時と現在日時の差が所定期間以上である場合には、前記識別情報に関わらず、前記ロック機構を前記第１の状態から前記第２の状態に切り替えない、
ことを特徴とする請求項１ないし１１のいずれか１項に記載の記録装置。
【請求項１３】
インクを吐出して画像を記録する記録ヘッドと、前記記録ヘッドへ供給されるインクを収容し、インクを補充するためのインク補充口を有するインクタンクと、前記インク補充口を覆った閉状態と前記インク補充口を露出した開状態とに移動可能なカバー部材と、を備える記録装置に用いられる補充用のインクを収容するインクボトルであって、
当該インクボトルの識別情報を記憶する記憶手段を備え、
前記記録装置は、読取手段によって読み取った前記記憶手段に記憶された前記識別情報に応じて、前記カバー部材を前記閉状態から前記開状態に移動することができない第１の状態と、前記閉状態から前記開状態に移動することができる第２の状態とに切り替える、
ことを特徴とするインクボトル。
【請求項１４】
前記記憶手段は、前記記録装置の記憶手段と近距離無線による通信を行うことを特徴とする請求項１３に記載の記録装置。
【請求項１５】
前記インク補充口にインクを補充するための注ぎ口を備え、
前記記憶手段は、前記注ぎ口と対面になるように配置される、
ことを特徴とする請求項１３または１４に記載のインクボトル。
【請求項１６】
前記識別情報は、前記インクボトルに収容されるインクの色に関する情報を含むことを特徴とする請求項１３ないし１５のいずれか１項に記載の記録装置。
【請求項１７】
前記識別情報は、前記記録装置に適応するインクボトルであるかを判別するための情報を含むことを特徴とする請求項１３ないし１６のいずれか１項に記載の記録装置。
【発明の詳細な説明】
【技術分野】
【０００１】
本発明は、インクジェット記録装置、及び該インクジェット記録装置に補充されるインクを収容するインクボトルに関する。
【背景技術】
【０００２】
記録ヘッドの吐出口面に配置された吐出口からインクを吐出して画像を記録するインクジェット記録装置には、ユーザーが外部からインクを補充可能な方式のものがある。このような記録装置では、ユーザーがインクボトルから任意のタイミングでインクを補充することが可能であり、大量印刷を行う際にインク切れによる記録の中断を回避することができる。
【０００３】
しかしながら、ユーザーが補充を行うことにより、製品の使用に適さないインクが収容されたインクボトルや、色の異なるインクが収容されたインクボトルから補充がなされるおそれがある。その結果、正しい色再現ができなかったり、成分の異なるインク同士が反応し内部で固着してしまい装置の故障に繋がるおそれがある。そのため、製品の使用に適したインクボトルからの補充であるかを判別する必要がある。
【０００４】
特許文献１には、補充するインクに識別符号を割り当て、プリンタ制御装置にインク識別符号が入力される入力機能を設け、ユーザーにより入力された識別符号を解析してインクが適正であるか否かを判定する技術が開示されている。
【先行技術文献】
【特許文献】
【０００５】
【特許文献１】特開２０１２−０８４０４８号公報
【発明の概要】
【発明が解決しようとする課題】
【０００６】
しかしながら、特許文献１に記載の技術では、ユーザーが識別符号を入力する必要があるため、ユーザーに手間がかかることに加え、誤入力による判定ミスのおそれがあった。またインクが適正でないと判定された場合に、例えば、補充したインクが適正でないことを警告することを可能としているが、あくまでインク補充後の警告であり、製品の使用に適さないインクや色の異なるインクが補充されることを回避することはできなかった。
【０００７】
本発明は、上記課題に鑑み、ユーザー利便性を向上させつつ、記録装置に誤ったインクが補充されることを防止する技術を提供することを目的とする。
【課題を解決するための手段】
【０００８】
上記目的を達成するため、本発明に係る記録装置は、インクを吐出して画像を記録する記録ヘッドと、前記記録ヘッドへ供給されるインクを収容し、インクボトルからインクを補充するためのインク補充口を有するインクタンクと、前記インク補充口を覆った閉状態と前記インク補充口を露出した開状態とに移動可能なカバー部材と、を備える記録装置であって、前記カバー部材が前記閉状態から前記開状態に移動することができない第１の状態と、前記カバー部材が前記閉状態から前記開状態に移動することができる第２の状態とに切り替え可能なロック機構と、前記インクボトルに設けられた記憶手段に記憶された当該インクボトルの識別情報を読み取る読取手段と、前記読取手段により読み取られた前記識別情報に応じて、前記ロック機構を前記第１の状態から前記第２の状態に切り替える制御手段と、を備えることを特徴とする。
【発明の効果】
【０００９】
本発明によれば、ユーザー利便性を向上させつつ、記録装置に誤ったインクが補充されることを防止する技術が提供される。
【図面の簡単な説明】
【００１０】
【図１】第１実施形態に係るインクジェット記録装置を示す模式構成図である。
【図２】第１実施形態に係るインクボトルを示す模式構成図である。
【図３】第１実施形態に係るインクジェット記録装置を示す模式構成図である。
【図４】第１実施形態に係るインクジェット記録装置の構成を示すブロック図である。
【図５】第１実施形態に係るインクジェット記録装置のソレノイドロック機構を示す模式概要図である。
【図６】第１実施形態におけるインクボトルからインク補充を行う際のフローチャートを示す図である。
【図７】第２実施形態におけるインクボトルからインク補充を行う際の拡張フローチャートを示す図である。
【図８】第３実施形態におけるインクボトルからインク補充を行う際の拡張フローチャートを示す図である。
【発明を実施するための形態】
【００１１】
（第１実施形態）
以下、図面を参照しながら、本発明の第１実施形態に係るインクジェット記録装置について説明する。図１は、本実施形態に係るインクジェット記録装置を示す模式構成図である。１００はインクジェット記録装置（単に記録装置、プリンタとも称する）である。記録装置１００は、インク色毎に独立したインクタンク１０１〜１０４を備える。記録装置１００は、インクタンク１０１〜１０４から供給されたインクを記録ヘッドから吐出することで記録媒体に画像を記録する。１０１はブラック（Ｂｋ）インクを収容するブラック用インクタンクである。１０２はシアン（Ｃ）インクを収容するシアン用インクタンクである。１０３はマゼンタ（Ｍ）インクを収容するマゼンタ用インクタンクである。１０４はイエロー（Ｙ）インクを収容するイエロー用インクタンクである。それぞれのインクタンク１０１〜１０４は、外部のインクボトルからインクを補充するためのインク補充口１１０を有している。１０５〜１０８は、インクタンク１０１〜１０４のそれぞれのインク補充口１１０を覆うインク補充口カバー（カバー部材）である。インク補充口カバー１０５〜１０８は、装置本体に軸支され、インクタンク１０１〜１０４のインク補充口を覆った閉状態とインク補充口を露出した開状態とに移動可能である。インク補充口カバー１０７が開き、インク補充口１１０が露出しているときの図を図２に示す。インク補充口カバー１０５〜１０８には、インク補充口を塞ぎ密封するためのキャップ機構１１１が一体化して設けられている。
【００１２】
３００は近距離無線通信用のＮＦＣ（Ｎｅａｒ  Ｆｉｅｌｄ  Ｃｏｍｍｕｎｉｃａｔｉｏｎ）通信部である。ＮＦＣ通信部３００は、所定のインダクタンス及びキャパシタンスを有する共振回路、共振回路から受信された信号を復調する復調回路、及び搬送波を増幅して共振回路から送信させる送信回路等により構成される。またＮＦＣ通信部３００は、リーダライタ機能と電磁誘導により外部機器に対して電力を供給する電力供給機能とを有する。３０３はユーザーに対してメッセージを表示したり、ユーザーが記録装置を操作するための表示操作部である。
【００１３】
図３は、インクタンク１０１〜１０４に補充されるインクを収容するインクボトルを示す模式構成図である。インクボトル２０１は、内部に補充用のインクを収容する。例えば、インクタンク１０３内のインク量が少なくなった場合、ユーザーはインクボトル２０１からインク補充口１１０にインクを注入し、インクタンク１０３内をインクで満たす。インクタンク１０１、１０２、１０４へ補充を行う場合も同様である。
【００１４】
本実施形態では、インク補充口に対する注ぎ口２０２は、ユーザーの手により開閉可能なスクリュー型のキャップ構成である。これによりユーザーはインクボトル２０１内のインクが無くなるまでの間、必要に応じて繰り返しキャップを開閉し補充を行うことができる。
【００１５】
また、インクボトル２０１は底面にＮＦＣタグ２０３を有する。本実施形態では、ＮＦＣタグ２０３は、ＩＥＣ１４４４３等で規定される近距離無線通信用のＮＦＣタグである。ＮＦＣタグ２０３は、ＮＦＣ通信部３００と同様に、所定のインダクタンス及びキャパシタンスを有する共振回路、共振回路から受信された信号を復調する復調回路、及び搬送波を増幅して共振回路から送信させる送信回路等により構成される。また、ＮＦＣタグ２０３は、前述の共振回路を介して書き込み、読み出しが可能な記憶領域となるメモリを有している。メモリ内にはインクボトルの識別情報としてインクボトルの型式情報やインクボトル内のインク色情報、固有のシリアル番号等を保持している。なおＮＦＣタグ２０３は、前述のＮＦＣ通信部３００のようなリーダライタ機能を備える近距離無線通信部からの電磁誘導による電力供給を受けて共振回路およびメモリを駆動させるため、インクボトル２０１は電源装置を有することなく通信を行うことができる。
【００１６】
図４は、本実施形態に係るインクジェット記録装置の構成を示すブロック図である。３０１は記録装置全体の制御を行う制御部である。制御部３０１は、ＣＰＵやタイマ機能を内蔵し、演算、制御、判断、設定などの処理動作を実行するためのＡＳＩＣ３１１を有する。また制御部３０１は、記録装置を動作させるための制御プログラムや各種パラメータ等を格納するＲＯＭ３１２を有する。また制御部３０１は、記録データを格納するバッファ及びＣＰＵによる処理のワークエリア等として用いられるメモリ領域であるＲＡＭ３１３を有する。制御部３０１は、ＮＦＣ通信部３００の制御も行っており、ＮＦＣ通信部３００と通信可能な距離に外部機器が配置されたことを検出し、外部機器に対する書き込み、読み出しのためのコマンドをＮＦＣ通信部３００に送出することにより通信を行う。
【００１７】
３０２はプリンタエンジン部である。プリンタエンジン部３０２は、記録媒体に対して記録動作を行う記録ヘッド３１４を有する。またプリンタエンジン部３０２は、記録ヘッド３１４を搭載するキャリッジを駆動して、記録媒体の搬送方向と交差する方向に移動させるキャリッジモータ３１５を有する。またプリンタエンジン部３０２は、記録を行うべき記録媒体（用紙）を給送トレイから記録ヘッドと対向する位置まで搬送し、記録が行われた記録媒体を排出トレイまで搬送する搬送ローラを駆動する搬送モータ３１７を有している。制御部３０１は、搬送モータドライバ３１８を介して搬送モータ３１７により記録媒体を搬送させ、キャリッジモータドライバ３１６を介してキャリッジモータ３１５によりキャリッジを往復移動させることで記録動作を行う。
【００１８】
３０３は表示操作部である。表示操作部３０３は、表示部となるＬＣＤ３１９と、ボタンやタッチパネル等の操作機構３２０とを有する。操作機構３２０は、ユーザーが直接、記録装置の設定値の変更等を指示するための機能を果たす。本実施形態では、ＬＣＤ３１９の表示の上にタッチパネルを備えたものを想定している。
【００１９】
３０４はインターフェイス部である。インターフェイス部３０４は、ホスト装置からの記録データを受信するための複数のインターフェイスを備えている。３２１はＵＳＢ（Ｕｎｉｖｅｒｓａｌ  Ｓｅｒｉａｌ  Ｂｕｓ）通信の子機としてのインターフェイスとなるＵＳＢ  Ｔｙｐｅ  Ｂコネクタを示している。３２２は無線ＬＡＮ通信のインターフェイスとなる無線ＬＡＮモジュールを示している。
【００２０】
また、本実施形態では、制御部３０１に接続され、インク補充口のインク補充口カバー１０５〜１０８が開いている開状態であるか、閉じている閉状態であるかを検出するための状態検知センサ（センサ）３２３を各インク補充口カバーにそれぞれ有している。これにより、制御部３０１からインク補充口カバーの開閉状態の確認が可能となっている。
【００２１】
さらに、本実施形態では、インク補充口カバー１０５〜１０８はそれぞれ、ユーザーによる開口を制限するためのロック機構３２４を有している。ロック機構３２４は、制御部３０１からの制御により開口可能なインク補充口カバーを制限することができる。すなわち、ロック機構３２４は、インク補充口カバーを閉状態から開状態にすることができない開口不可状態と、インク補充口カバーを閉状態から開状態にすることができる開口可能状態とに切り替え可能である。本実施形態におけるロック機構３２４はソレノイドロック機構を用いている。ソレノイドロック機構は、記録装置１００の通電状態においてのみ制御部３０１からの制御により解錠し、必要なインク補充口カバーのみに限定して開口可能状態とすることができる。
【００２２】
図５に本実施形態におけるソレノイドロック機構の模式概要図を示す。５０１はソレノイドである。ソレノイド５０１は、電磁コイルに電流を流すことで発生する磁力によりプランジャー（可動鉄心）５０２を直線運動させる。ソレノイドロック機構は、施錠状態ではプランジャー５０２が突出した状態（図５（ａ））となり、解錠状態ではプランジャー５０２が引っ込んだ状態（図５（ｂ））となる。このプランジャー５０２に対して受け側となるインク補充口カバー１０５〜１０８に貫通する形で制御穴５０３を設け、施錠状態ではプランジャー５０２が制御穴５０３に侵入することで、インク補充口カバー１０５〜１０８の開口を制限することができる。一方、解錠状態ではプランジャー５０２が受け側となるインク補充口カバー１０５〜１０８の制御穴５０３から退避した形となるため、インク補充口カバーの開口が可能となる。なお、ソレノイドには通電時施錠型と通電時解錠型の二つの種類があるが、本実施形態では通電時解錠型を用いている。これにより必要なときに必要な箇所のみ解錠制御を行い、かつ記録装置１００の電源がオフの状態では施錠状態のまま保持することができる。よって、記録装置１００が電源オフの状態ではインク補充口カバーを開くことができないため、記録装置１００の電源オフ時に誤ってインクが補充されてしまうことを防止することができる。
【００２３】
図６は、本実施形態におけるインクボトルからインク補充を行う際のフローチャートを示す図である。記録装置１００は、省電力待機状態を含め装置の通電状態においてＡＳＩＣ３１１からの制御により定期的にＮＦＣ通信部３００を起動させて、ＮＦＣ通信部３００の周囲にＮＦＣタグを具備する外部機器が存在するかのサーチを行う。ステップＳ６０１でサーチに対し応答がなければサーチを継続し、応答があればＮＦＣアクセスとしてＡＳＩＣ３１１への通知を行う。ＮＦＣアクセスの通知を受けたＡＳＩＣ３１１は、ＲＡＭ３１３に展開されたＮＦＣ通信部３００の制御プログラムを使用して、サーチに対して応答した外部機器が有するＮＦＣタグ２０３の記憶領域からデータを読み出す。そして、ステップＳ６０２で、読み出したデータから記録装置に適応するインクボトルであるか否かを判別する。本実施形態では、記録装置に適応するインクボトルであるかの判別にＮＦＣタグ２０３の記憶領域に予め格納されたインクボトル２０１の型番情報を参照する構成としている。しかし、本発明はこれに限定されず、例えば、対応する記録装置の型番を格納し参照して使用する等の構成にしても良い。
【００２４】
ステップＳ６０２でサーチに応答した外部機器が記録装置に適応したインクボトル２０１以外であった場合には、必要に応じた処理を実施し処理を終了した後、再び外部機器のサーチを開始する。ステップＳ６０２でサーチに応答した外部機器が記録装置に適応したインクボトル２０１であった場合には、ステップＳ６０３へ進む。ステップＳ６０３では、ＮＦＣタグ２０３の記憶領域からインクボトル２０１の格納インク色情報を読み出し、インク色が合致し補充先となるインクタンクの判別を行う。ステップＳ６０４で、制御部３０１は、インクボトル２０１のインク色に対応する色のインクタンクのインク補充口を覆うインク補充口カバーに対し、ロック機構３２４の解錠制御を行い、開口可能状態にする。この際、開口可能状態となったインク補充口カバーに対応するインクタンクが、インクタンク１０１〜１０４のいずれであるかを表示操作部３０３のＬＣＤ３１９に画像として表示し、ユーザーへの明示を行う。なお、ユーザーへの明示方法はこれに限定されず、例えば、それぞれのインクタンク補充口やインク補充口カバーに個別のＬＥＤを設け、該当箇所のＬＥＤを点灯または点滅させる方式などを採用しても良い。
【００２５】
制御部３０１は、不図示の計時手段によりインク補充口カバー１０５〜１０８のいずれかが開口可能状態になってからの経過時間を計時する。そして、ステップＳ６０５において計時時間が所定時間を経過するか、ステップＳ６０６において状態検知センサ３２３によりインク補充口カバーの開状態になったことが検知されるかまで待機する。本実施形態では、ユーザーがインク補充口カバー１０５〜１０８をインク補充のために開くまでの時間として１分以内を想定しているため、所定時間を１分に設定している。なお、計時手段はＡＳＩＣ３１１に接続または内蔵されたＲｅａｌ  Ｔｉｍｅ  Ｃｌｏｃｋ（ＲＴＣ）や、プログラムにより構成されたカウンタ等を用いることで実現できる。
【００２６】
ステップＳ６０６で、所定時間内にインク補充口カバー１０５〜１０８のいずれかがユーザーにより開状態にされたことが検知されると、制御部３０１はインクボトル２０１から該当するインクタンクに正常にインクの補充が開始されたと判断する。
【００２７】
制御部３０１は、状態検知センサ３２３を監視し、ユーザーによるインクの補充が完了し、開状態のインク補充口カバーがユーザーにより再度閉状態とされるまで待機する。ステップＳ６０７で、開状態であったインク補充口カバーが閉状態とされたことを検知すると、制御部３０１はロック機構３２４を制御して当該インク補充口カバーを開口不可状態にし、所定の処理を終了した後、再び外部機器のサーチを開始する。
【００２８】
なお、ステップＳ６０５で開口可能状態にしたインク補充口カバー１０５〜１０８がいずれかも開状態になることなく所定時間が経過した場合、同様にステップＳ６０８でインク補充口を開口不可状態に移行させる。
【００２９】
また、インク補充口カバーを開口可能状態とした後も、所定時間が経過しておらず、インク補充口カバーが開状態になったことが検知されていない間は、ステップＳ６０９でＮＦＣ通信部３００に対し異なる外部機器からの応答サーチを継続する制御を行う。ステップＳ６０９で外部機器からの応答があった場合、ステップＳ６１０で応答した外部機器がステップＳ６０２でのサーチに応答したインクボトル以外のインクボトルであるか否かの判別を行う。ステップＳ６１０でステップＳ６０２でのサーチに応答したインクボトル以外のインクボトルではない（同じインクボトルやインクボトル以外の外部機器）と判別された場合、必要に応じた処理を実行すると共に、ステップＳ６０５へ戻る。一方、ステップＳ６１０でステップＳ６０２でのサーチに応答したインクボトル以外のインクボトルである（他のインクボトル）と判別された場合、ステップＳ６１１へ進む。ステップＳ６１１では、ステップＳ６０４で開口可能状態としたインク補充口カバーに対し、ロック機構３２４を制御することで開口不可状態にする。その後、ステップＳ６０３に戻り、インクボトルの色情報の読み出しを行う。
【００３０】
なお、本実施形態ではステップＳ６０２で応答したインクボトルとステップＳ６１０で応答した異なるインクボトルとの個体判別を各インクボトルが有するＮＦＣタグ２０３の記憶領域に格納された固有のシリアル番号により判別している。しかし、本発明はこれに限定されず、例えば、ＮＦＣタグ２０３に格納されたインク色情報を先に参照し、インク色が同一であればステップＳ６１１でインク補充口カバーに対するロックを行わず、そのままステップＳ６０５に戻るようにしても良い。
【００３１】
以上、本実施形態によれば、インクの補充に用いられるインクボトルが有するＮＦＣタグから近距離無線通信を介してインクボトルの識別情報を読み取る（読取る）ことで、そのインクボトルに対応したインク補充口カバーを開口可能状態にする。これによりユーザーは対応するインク補充口を誤ることなくインクの補充を行うことが可能となり、補充先となるインクタンクと補充に使用するインクボトルが誤った組み合わせで使用されることを防止することができる。
【００３２】
また、インク補充口を色毎に独立とし、それぞれにロック機構を設け、補充すべきインク補充口に対応するインク補充口カバーのみを開口可能状態とし、それ以外を開口不可状態に保持している。これにより、ユーザーの作業を単純化し、ユーザーの誤操作を低減することができる。
【００３３】
さらに、ユーザーが誤って本来補充を行うことを所望したインク色と異なるインクボトルで近距離無線通信によるアクセスを行った場合でも、インク補充口カバーが閉じた状態であれば、開口可能なインク補充口カバーを切り替えることを可能としている。すなわち、最初に近距離無線通信でアクセスしたインクボトルに対応するインク補充口カバーを開かないことにより、次に近距離無線通信でアクセスしたインクボトルに対応するインク補充口カバーを開口可能状態にするように切り替えることができる。また、インク補充口カバーを開いた場合でも、そのインク補充口カバーを閉じることにより、次のインクボトルに対応するインク補充口カバーを開口可能状態にするように切り替えることができる。これによりユーザーが誤操作をした場合でも煩雑な作業を要することなく、使用するインクボトルやインクが供給されるインクタンクを容易に切り替えることができる。
【００３４】
さらに、本実施形態では、インク補充口カバーのいずれかが開状態であるときに、装置本体の電源がオフにされた場合、開状態にあるインク補充口を閉じるように促す警告表示を行うと共に、電源をオフにせずに電源をオンの状態に保持することができる。これにより、誤ってインク補充口カバーが開状態のまま装置本体の電源がオフにされることを防止することができ、装置本体の電源がオフの状態においてユーザーによる不用意なインク補充を防止することができる。
【００３５】
さらに、本実施形態では、インクボトルは底面にＮＦＣタグを有する構成となっている。これにより、インクボトルの注ぎ口を上方に向けたまま、記録装置の近距離無線通信にアクセスすることが可能である。これにより、万一インクボトルの注ぎ口を閉じ忘ていた場合や閉じ方が不十分であった場合でも、インクボトルからのインクの漏れやこぼれを防止することができる。
【００３６】
さらに、インクボトルのＮＦＣタグには、インクボトルに収容されるインクの色情報やインクボトルの型番情報、またはインクボトルが適応する記録装置の型番情報等が予め格納されている。これにより、インクボトルに対応した適切なインク補充口の判別が可能となり、記録装置の使用に適切なインクボトルであるかの判別が可能となる。
【００３７】
（第２実施形態）
次に、本発明の第２実施形態について説明する。記録装置の構成については第１実施形態に係る記録装置と同様のため、その説明を省略する。本実施形態では、インクボトルからインク補充を行う際の制御が第１実施形態と異なる。
【００３８】
図７は、本実施形態におけるインクボトルからインク補充を行う際の拡張フローチャートを示す図である。図７は、第１実施形態の図６に対し、ステップＳ６０６でインク補充口カバー１０５〜１０８のいずれかが開状態になったことを検知した後のフローを追加・拡張したものである。
【００３９】
ステップＳ６０６でインク補充口カバー１０５〜１０８のいずれかが開状態であることを検知すると、ステップＳ６０７で開状態であったインク補充口カバーが閉状態になったか否かを判定する。ステップＳ６０７でインク補充口カバーが閉状態であることを検知すると、図６のステップＳ６０８へ進み、第１実施形態で説明したものと同様の処理を行う。一方、ステップＳ６０７でインク補充口カバーが閉状態であることを検知しない場合、ステップＳ７０１でインク補充口カバーが開状態になっていからの経過時間が所定時間を経過したか否かを判定する。ステップＳ７０１で経過時間が所定時間を経過していない場合、ステップＳ７０２でＮＦＣ通信部３００からのサーチに応答があるかを判別する。ＮＦＣ通信部３００への外部機器からの応答サーチは、ステップＳ６０７でインク補充口カバーが閉状態であることを検知するか、ステップＳ７０１でインク補充口カバーが開状態になってからの経過時間が所定時間を経過するまで繰り返し行われる。本実施形態では、インク補充口カバーが開状態になってからインクの補充が完了するまでの操作時間を３分以内と想定しているため、所定時間を３分と設定している。
【００４０】
ステップＳ７０２で外部機器の応答があった場合、ステップＳ７０３で応答した外部機器がステップＳ６０２でのサーチに応答したインクボトル以外のインクボトル（他のインクボトル）であるかの判別を行う。ステップＳ７０３で、ステップＳ６０２でのサーチに応答したインクボトル以外のインクボトルではない（同じインクボトルやインクボトル以外の外部機器）と判別した場合、必要に応じた処理を実行すると共にステップＳ６０７へ戻る。そして、ステップＳ７０１〜ステップＳ７０３の処理を繰り返す。
【００４１】
一方、ステップＳ７０３でステップＳ６０２でのサーチに応答したインクボトル以外のインクボトルである（他のインクボトル）と判別された場合、ステップＳ７０４へ進む。ステップＳ７０４では、表示操作部３０３のＬＣＤ３１９を用いて、ユーザーに対して閉じられていないインク補充口カバーがある旨を報知し警告すると共に、ユーザーに対してそのインク補充口カバーを閉じることを促す。この際、制御部３０１は、状態検知センサ３２３によりどのインク補充口カバーが開いたままであるかを判別することができるため、ＬＣＤ３１９に図示する等によりユーザーに対して閉じるべき補充口カバーを明示することができる。また、ステップＳ７０１でインク補充口カバーが開いてからの経過時間が所定時間を経過した場合も、同様にステップＳ７０４へ進み、警告表示等を行う。これによりユーザー利便性をより向上させることが可能となる。
【００４２】
以上、本実施形態によれば、インク補充口カバーが開いてからの経過時間が所定時間を経過した場合や、インク補充口カバーが開いた状態で他のインクボトルのアクセスがあった場合に、ユーザーに対して警告表示を行うようにしている。これにより、ユーザーは閉じるべきインク補充口カバーを容易に判別し対応することが可能となり、ユーザー利便性を向上させることができる。
【００４３】
（第３実施形態）
次に、本発明の第３実施形態について説明する。記録装置の構成については第１実施形態に係る記録装置と同様のため、その説明を省略する。本実施形態では、インクボトルからインク補充を行う際の制御が第１実施形態と異なる。
【００４４】
図８は、本実施形態におけるインクボトルからインク補充を行う際の拡張フローチャートを示す図である。図８は、第１実施形態の図６に対し、ステップＳ６０２で記録装置に適応するインクボトルを検出した後、インクボトルがＮＦＣ通信部を介して、初めて記録装置と通信したか否かを判別するフローを追加・拡張したものである。
【００４５】
本実施形態では、インクボトル２０１が有するＮＦＣタグ２０３は、規定された記憶領域内の予め規定された領域に日時に関する情報（日時情報）を格納する日時情報格納領域を有する。ステップＳ６０２で記録装置１００に適応したインクボトル２０１との通信を確認した場合、ステップＳ８０１でＮＦＣタグ２０３内の記憶領域内の規定された日時情報格納領域から日時情報のデータを読み出す。ステップＳ８０２では、ステップＳ８０１で読み出した日時情報がデータとして初期値であるかを判別する。日時情報が初期値であった場合には、インクボトル２０１は今回初めて記録装置１００とＮＦＣ通信部３００を介して通信が行われたと判断し、ステップＳ８０３へ進む。ステップＳ８０３では、ＮＦＣタグ２０３内の日時情報格納領域にインク補充のために初めてインクボトル２０１が開封された日時として現在日時に関する情報（現在日時情報）を書き込む。この際、ステップＳ８０３で書き込む日時情報は、ＡＳＩＣ３１１に接続、または内蔵されたＲＴＣから読み出した情報を用い、ＮＦＣ通信部３００のライタ機能を用いてＮＦＣタグ２０３内の日時情報格納領域に書き込む。そして、第１実施形態の図６のステップＳ６０３の処理へ戻る。
【００４６】
一方、ステップＳ８０２で読み出した日時情報がデータとして初期値でなかった場合には、ステップＳ８０４で、ＡＳＩＣ３１１に接続、または内蔵されたＲＴＣから現在日時情報を読み出し、ＮＦＣタグ２０３から読み出した日時情報との比較を行う。この際、現在日時情報とＮＦＣタグ２０３から読み出した日時情報との差が所定期間以上でなければ、インクボトル２０１は開封日時から所定期間内のものであると判断し、ステップＳ６０３の処理へ戻る。本実施形態では、インクボトル２０１が開封されてから１年以内の使用を想定しているため所定期間を１年として設定している。
【００４７】
一方、ステップＳ８０４で、現在日時情報との差が所定期間以上であった場合は、インク補充に用いるインクボトル２０１が開封日時から所定期間が過ぎているため使用することができない（使用不可）と判断し、ステップＳ８０５へ進む。ステップＳ８０５では、表示操作部３０３によりユーザーに対してその旨の警告表示を行う。この際、インク補充口カバー１０５〜１０８を開口可能状態にせずに警告表示を行い、使用者による警告停止の操作、または他のインクボトルがＮＦＣ通信部３００との通信に応答するまで警告表示のまま保持し処理を終了する。
【００４８】
以上、本実施形態では、インクボトルが有するＮＦＣタグが近距離無線通信を介して記録装置のＮＦＣ通信部に初めてアクセスされた際には日時情報を書き込み（書込み）、二回目以降はその日時情報を読み取り現在時刻と比較を行う構成としている。比較の結果、日時情報が現在時刻に対し所定期間以上経過している場合にはユーザーに対して警告表示を行う。このようにしたのは、インクボトルが一度開封されると、内部のインクは空気に触れ少なからず化学反応を起してしまい、時間経過と共に成分変化や乾燥による固着のおそれが高まるからである。よって本実施形態によれば、インクボトルが初めて開封された日時をインクボトル内に保持し再使用の日時が所定期間以上経過していた場合には使用不可とし警告表示を行うことで、画像品質の低下やインクの固着による装置の故障等を防止することができる。
【００４９】
なお、上記実施形態では、インク補充口カバーを開口不可状態から開口可能状態にし、ユーザーが手動で開口する方式としたが、本発明はこれに限定されず、対応するインク補充口カバーを自動的に閉状態から開状態にする構成としても良い。
【００５０】
また、上記実施形態では、各インク補充口カバーに状態検知センサを設け、開状態を判別する構成としたが、本発明はこれに限定されず、インク補充口カバーのいずれか１つ以上が開状態であることを検知する構成であればどのような形態であっても良い。例えば、光学式センサの発光部と受光部を複数のインク補充口カバーを跨いだ状態で配置する。そして、インク補充口カバーが閉じられた状態では発光部からの光を受光部が受光し、いずれかのインク補充口カバーが開けられた状態では発光部からの光が遮蔽される構成とする。その光の受光・遮蔽の状態を判別することで、インク補充口カバーのいずれか１つ以上が開いていることを検知する構成としても良い。
【００５１】
さらに、上記実施形態では、インクボトルが有する近距離無線通信手段としてＮＦＣタグを共振回路により通信を行うアンテナ部と記憶領域となるメモリとが一体化された構成を用いているが、本発明はこれに限定されるものではない。例えば、アンテナ部とメモリが独立、または一体型ではあるが距離を持って配置され、アンテナ部とメモリの配置がインクボトルの異なる面に配置された構成であっても良い。この場合、ＮＦＣ通信部となるアンテナ部がインクボトルの注ぎ口に対して対面となるように配置されることが望ましい。
【符号の説明】
【００５２】
１００  記録装置
１０１、１０２、１０３、１０４  インクタンク
１０５、１０６、１０７、１０８  インク補充口カバー
１１０  インク補充口
２０１  インクボトル
２０３  ＮＦＣタグ
３００  ＮＦＣ通信部
３０１  制御部
３１４  記録ヘッド
３２４  ロック機構
【図１】
2019098526.tif 000003
【図２】
2019098526.tif 000004
【図３】
2019098526.tif 000005
【図４】
2019098526.tif 000006
【図５】
2019098526.tif 000007
【図６】
2019098526.tif 000008
【図７】
2019098526.tif 000009
【図８】
2019098526.tif 000010